(57)【要約】【課題】  密閉型電池の電池ケースの内圧が上昇した場合における、巻締め部の封止能力の低下を抑制して、この巻締め部での開封を防止した開封防止電池体を提供する。【解決手段】  開封防止電池体1は、発電要素50、及び、開口45を含むケース本体部材40と蓋部材30とからなり、ケース本体部材と蓋部材とで巻締め部80をなして、開口を気密に封止してなる電池ケース20、を有する１つ以上の密閉型電池10と、密閉型電池の内圧が上昇した場合に、巻締め部80で開封するのを防止し、電池ケースに生じる変形のうち、巻締め部80に生じ、この巻締め部80の封止能力を低下させる封止能力低下変形を抑制する変形抑制部62,62S,62Lを有する開封防止部材60と、を備える。【選択図】  図２
2010153338.tif 000002
【特許請求の範囲】
【請求項１】
発電要素、及び、
上記発電要素を収容してなる電池ケースであって、
開口を含むケース本体部材と上記開口を閉塞する蓋部材とからなり、
上記ケース本体部材と上記蓋部材とで巻締め部をなして、上記開口を気密に封止してなる
電池ケース、を有する
１つ以上の密閉型電池と、
上記密閉型電池の内圧が上昇した場合に、上記巻締め部で開封するのを防止する開封防止部材であって、
上記密閉型電池の内圧が上昇した場合に上記電池ケースに生じる変形のうち、上記巻締め部に生じ、この巻締め部の封止能力を低下させる封止能力低下変形を抑制する変形抑制部、を有する
開封防止部材と、を備える
開封防止電池体。
【請求項２】
請求項１に記載の開封防止電池体であって、
前記開封防止部材は、
前記変形抑制部として、前記密閉型電池の内圧が上昇した場合に、前記巻締め部の外周面への当接により、上記巻締め部の前記封止能力低下変形を抑制する第１種当接部を有する
開封防止電池体。
【請求項３】
請求項２に記載の開封防止電池体であって、
前記ケース本体部材は、前記開口が多角形状であり、
前記第１種当接部は、
前記巻締め部のうち、上記開口をなす辺のうち最も長い長辺に形成された長辺巻締め部の前記外周面に当接する第１種長辺当接部を含む
開封防止電池体。
【請求項４】
請求項１〜請求項３のいずれか１項に記載の開封防止電池体であって、
前記開封防止部材は、
前記電池ケースの前記蓋部材に被せてなる第１キャップ型開封防止部材であり、
前記巻締め部の外周面に対向し、
前記密閉型電池の内圧が上昇した場合に、上記巻締め部の上記外周面への当接によりその変形を抑制する第１種当接部を有する
開封防止電池体。
【請求項５】
請求項１〜請求項４のいずれか１項に記載の開封防止電池体であって、
前記蓋部材は、
前記巻締め部の内側で、前記開口内に位置して、上記巻締め部の径方向に拡がり、上記開口を閉塞する開口閉塞部を有し、
前記開封防止部材は、
前記変形抑制部として、前記密閉型電池の内圧が上昇した場合に、前記蓋部材の上記開口閉塞部のうち、少なくともこの開口閉塞部の外周部に当接して、この外周部の変形を抑制し、上記巻締め部の前記封止能力低下変形を抑制する第２種当接部を有する
開封防止電池体。
【請求項６】
請求項５に記載の開封防止電池体であって、
前記開封防止部材は、
前記電池ケースの前記蓋部材に被せてなる第２キャップ型開封防止部材であり、
上記蓋部材の前記開口閉塞部の前記外周部に対向する前記第２種当接部を有し、
上記第２キャップ型開封防止部材は、
前記ケース本体部材の内部から上記開口を通じて外部に向かう開口外方向への移動が抑制されてなる
開封防止電池体。
【請求項７】
請求項１〜６に記載のいずれか１項に記載の開封防止電池体であって、
前記ケース本体部材のうち前記発電要素を環状に囲む部位を本体周側部とし、
この本体周側部のうち、前記巻締め部の前記開口から上記ケース本体部材の内部に向かう開口内方向に隣在する部位を本体巻締め隣在部としたとき、
前記開封防止部材は、
前記変形抑制部として、前記密閉型電池の内圧が上昇した場合に、上記本体周側部のうち、少なくとも上記本体巻締め隣在部への当接により、この本体巻締め隣在部の変形を抑制して、上記巻締め部の前記封止能力低下変形を抑制する第３種当接部を有する
開封防止電池体。
【請求項８】
請求項７に記載の開封防止電池体であって、
前記開封防止部材は、
前記本体周側部の前記本体巻締め隣在部に沿って、これを環状に取り囲んで、前記第３種当接部をなす隣在部拘束リングである
開封防止電池体。
【請求項９】
請求項１〜請求項８のいずれか１項に記載の開封防止電池体を搭載した車両。
【請求項１０】
請求項１〜請求項８のいずれか１項に記載の開封防止電池体を搭載した電池搭載機器。
【発明の詳細な説明】
【技術分野】
【０００１】
本発明は、巻締め法により封止してなる密閉型電池を備える開封防止電池体、これを搭載した車両及び電池搭載機器に関する。
【背景技術】
【０００２】
近年、携帯電話、ノート型パソコン、ビデオカムコーダなどのポータブル電子機器やハイブリッド電気自動車等の車両の普及により、これらの駆動用電源に用いられる電池の需要は増大している。
このような電池として、発電要素を密閉してなる密閉型電池が知られている。特許文献１には、電池容器（ケース本体部材）の開口を電池蓋（蓋部材）を用いて、二重巻締め法により封口する技術が開示されている。
【０００３】
【特許文献１】特開平９−７３８８５号公報
【発明の開示】
【発明が解決しようとする課題】
【０００４】
しかしながら、密閉型電池の内圧が上昇すると、電池ケースの各所が変形する。例えば、蓋部材のうち、ケース本体部材の開口内の部位が、外側に凸となる形態に膨出する変形が生じる場合がある。しかるに、このような変形が生じると、巻締め部において、蓋部材とケース本体部材との間が開くような力を受けることとなり、巻締め部の封止能力が低下してしまう。
また、例えば、ケース本体部材の本体周側部が、ビア樽のように、外側に凸となる形態に膨出する変形も生じる。この変形によっても、巻締め部において、蓋部材とケース本体部材との間が開くような力を受けることとなり、巻締め部の封止能力が低下してしまう。
極端な場合には、電池ケースに設けた安全弁が開封する前に、密閉型電池の内圧上昇に伴う電池ケースの変形により、密閉型電池の巻締め部において開封してしまう虞がある。
【０００５】
本発明は、かかる問題に鑑みてなされたものであって、密閉型電池の電池ケースの内圧が上昇した場合における、巻締め部の封止能力の低下を抑制して、この巻締め部での開封を防止した開封防止電池体を提供することを目的とする。
【課題を解決するための手段】
【０００６】
そして、その解決手段は、発電要素、及び、上記発電要素を収容してなる電池ケースであって、開口を含むケース本体部材と上記開口を閉塞する蓋部材とからなり、上記ケース本体部材と上記蓋部材とで巻締め部をなして、上記開口を気密に封止してなる電池ケース、を有する１つ以上の密閉型電池と、上記密閉型電池の内圧が上昇した場合に、上記巻締め部で開封するのを防止する開封防止部材であって、上記密閉型電池の内圧が上昇した場合に上記電池ケースに生じる変形のうち、上記巻締め部に生じ、この巻締め部の封止能力を低下させる封止能力低下変形を抑制する変形抑制部、を有する開封防止部材と、を備える開封防止電池体である。
【０００７】
本発明の開封防止電池体は、密閉型電池と、上述の変形抑制部を有する開封防止部材とを備える。このため、密閉型電池の内圧が上昇しても、開封防止部材の変形抑制部で封止能力低下変形を抑制できるので、巻締め部での封止能力の低下を抑制し、さらには、巻締め部における開封を防止した開封防止電池体とすることができる。
【０００８】
なお、変形抑制部による封止能力低下変形の抑制の手法としては、巻締め部に当接して、直接的に封止能力低下変形を抑制するほか、巻締め部には接触せず、巻締め部の近傍に当接して当該部分の変形を抑制することで、間接的に巻締め部の封止能力低下変形を抑制する場合も含む。
また、開封防止部材は、この複数の変形抑制部で封止能力低下変形を抑制しても良い。例えば、巻締め部の内周側と外周側の両側に当接して変形を抑制するもの、巻締め部に当接すると共に巻締め部の近傍にも当接して変形を抑制するもの、ケース本体部材のうち巻締め部の近傍と共に蓋部材のうち巻締め部の近傍にも当接して変形を抑制するものなども挙げられる。
【０００９】
さらに、開封防止部材は、密閉型電池の内圧が上昇していない状態（変形が生じていない状態）において、変形抑制部が、既に巻締め部など変形を抑制する予定の部位に当接している形態としても良い。あるいは、変形抑制部が、巻締め部など変形を抑制する予定の部位と離間しており、密閉型電池の内圧が上昇し、この密閉型電池の電池ケースに或る程度変形が生じた後に、巻締め部など所定の部位と当接し、それ以降の変形を抑制する形態としても良い。
【００１０】
また、開封防止電池体としては、例えば、単一の密閉型電池と、これに対応した単一の開封防止部材とを組合せたものが挙げられる。また、複数の密閉型電池（組電池）と、これらに対応した単一の開封防止部材とを組合せたもの、複数の密閉型電池（組電池）と、この組電池の一部をなす複数の密閉型電池にそれぞれ対応した複数の開封防止部材とを組合せたもの等が挙げられる。
また、巻締め部としては、半周巻締め構造のもの、一重巻締め構造のもの、二重巻締め構造のもの等が挙げられる。
また、密閉型電池（電池ケース）の外形形状としては、例えば、角柱状、円柱状の密閉型電池が挙げられる。さらに、電池ケースとしては、有底筒状のケース本体部材と蓋部材の２部材で構成されていても、例えば、両端に開口を有する筒状のケース本体部材と２つの蓋部材との３部材で構成されていても良い。
【００１１】
さらに、上述の開封防止電池体であって、前記開封防止部材は、前記変形抑制部として、前記密閉型電池の内圧が上昇した場合に、前記巻締め部の外周面への当接により、上記巻締め部の前記封止能力低下変形を抑制する第１種当接部を有する開封防止電池体とすると良い。
【００１２】
本発明の開封防止電池体では、密閉型電池の内圧が上昇しても、第１種当接部が巻締め部の外周面に当接して、直接的に巻締め部の封止能力低下変形を抑制するので、確実に巻締め部の封止能力の低下を抑制できる。
【００１３】
なお、巻締め部の外周面に生じる封止能力低下変形としては、例えば、変形前は、ケース本体部材の外周面に平行であった巻締め部の外周面が、内圧上昇により、傾く形態となる変形が挙げられる。
また、巻締め部の外周面への第１種当接部の当接の形態としては、環状の巻締め部の環状の外周面に全体に当接しても良いが、環状の外周面の周方向の一部に当接して、外周面の変形を抑制するものでも良い。
また、第１種当接部は、密閉型電池の内圧が上昇した場合に、巻締め部の外周面に当接すれば良く、内圧上昇前から既に巻締め部の外周面に当接していても、内圧上昇して巻締め部に或る程度変形が生じてから、この外周面に当接しても良い。
【００１４】
さらに、上述の開封防止電池体であって、前記ケース本体部材は、前記開口が多角形状であり、前記第１種当接部は、前記巻締め部のうち、上記開口をなす辺のうち最も長い長辺に形成された長辺巻締め部の前記外周面に当接する第１種長辺当接部を含む開封防止電池体とすると良い。
【００１５】
ところで、開口が多角形状の場合、角部よりも各辺に形成された巻締め部で、中でも、最も長い長辺に形成された長辺巻締め部で、変形が生じやすく開封もしやすい。
これに対し、本発明の開封防止電池体では、開封防止部材に第１種長辺当接部を有するので、この第１種長辺当接部の当接により、長辺巻締め部において効果的に封止能力低下変形を抑制して、この長辺巻締め部、ひいては、巻締め部全体における封止能力の低下を適切に抑制できる。
【００１６】
さらに、上述のいずれかの開封防止電池体であって、前記開封防止部材は、前記電池ケースの前記蓋部材に被せてなる第１キャップ型開封防止部材であり、前記巻締め部の外周面に対向し、前記密閉型電池の内圧が上昇した場合に、上記巻締め部の上記外周面への当接によりその変形を抑制する第１種当接部を有する開封防止電池体とすると良い。
【００１７】
本発明の開封防止電池体は、巻締め部のうち、巻締め部の外周面に対向した第１種当接部を有する第１キャップ型開封防止部材を備えるので、密閉型電池の内圧が上昇しても、巻締め部における封止能力の低下を抑制できる。その上、第１キャップ型開封防止部材を密閉型電池に被せて、容易に開封防止電池体を構成できる。
【００１８】
なお、第１キャップ型開封防止部材としては、例えば、第１種当接壁部が巻締め部の外周面と、その全周にわたって対向している形態のもののほか、周方向の一部で対向している形態のものも含まれる。
【００１９】
さらに、上述のいずれかの開封防止電池体であって、前記蓋部材は、前記巻締め部の内側で、前記開口内に位置して、上記巻締め部の径方向に拡がり、上記開口を閉塞する開口閉塞部を有し、前記開封防止部材は、前記変形抑制部として、前記密閉型電池の内圧が上昇した場合に、前記蓋部材の上記開口閉塞部のうち、少なくともこの開口閉塞部の外周部に当接して、この外周部の変形を抑制し、上記巻締め部の前記封止能力低下変形を抑制する第２種当接部を有する開封防止電池体とすると良い。
【００２０】
本発明の開封防止電池体では、密閉型電池の内圧が上昇しても、第２種当接部が開口閉塞部のうち少なくとも外周部に当接するので、間接的ではあるが適切に巻締め部の封止能力低下変形を抑制することができる。
【００２１】
なお、蓋部材の開口閉塞部に生じる変形としては、例えば、この開口閉塞部が外方（巻締め部の径方向に直交し、電池ケースの内側から外部に向かう方向）に向けてドーム状に膨出する変形が挙げられる。従って、蓋部材の開口閉塞部の外周部に生じる変形としては、内圧の上昇による上述の開口閉塞部の膨出変形により、そのうちの外周部が、電池ケースの外部に向けて膨出し、かつ、開口の内側（開口閉塞部の中心）に近いほど外方に位置するように傾いた形態となる変形が挙げられる。
【００２２】
また、開口閉塞部の外周部へ第２種当接部が当接する形態としては、例えば、開口閉塞部の外周部の全体に第２種当接部が当接しても良いが、外周部の変形を抑制するものであれば、外周部の周方向の一部に当接する形態としても良い。
また、第２種当接部も、密閉型電池の内圧が上昇した場合に、開口閉塞部の外周部に当接すれば良く、内圧上昇前から既に開口閉塞部の外周部に当接していても、内圧上昇して開口閉塞部の外周部に或る程度変形が生じた後に、この外周部に当接しても良い。
【００２３】
さらに、上述の開封防止電池体であって、前記開封防止部材は、前記電池ケースの前記蓋部材に被せてなる第２キャップ型開封防止部材であり、上記蓋部材の前記開口閉塞部の前記外周部に対向する前記第２種当接部を有し、上記第２キャップ型開封防止部材は、前記ケース本体部材の内部から上記開口を通じて外部に向かう開口外方向への移動が抑制されてなる開封防止電池体とすると良い。
【００２４】
本発明の開封防止電池体において、第２キャップ型開封防止部材は、開口閉塞部の外周面に対向する第２種当接部を有し、しかも開口外方向への移動が抑制されてなる。このため、密閉型電池の内圧が上昇して、開口閉塞部の外周面が、電池ケースの外側、即ち、開口外方向に向けて膨出しようとしても、第２キャップ型開封防止部材の第２種当接壁部がこれに当接して、その変形（膨出）を抑制し、ひいては、巻締め部の封止能力低下変形を抑制することができる。
【００２５】
なお、第２キャップ型開封防止部材の開口外方向への移動を抑制する手法としては、例えば、結束バンドなど別の部材を用いてその移動を抑制する手法や、第２キャップ型開封防止部材自身に、本体ケース部材と係合する係合部を形成するなどして、その移動を抑制する手法が挙げられる。
【００２６】
さらに、上述のいずれかの開封防止電池体であって、前記ケース本体部材のうち前記発電要素を環状に囲む部位を本体周側部とし、この本体周側部のうち、前記巻締め部の前記開口から上記ケース本体部材の内部に向かう開口内方向に隣在する部位を本体巻締め隣在部としたとき、前記開封防止部材は、前記変形抑制部として、前記密閉型電池の内圧が上昇した場合に、上記本体周側部のうち、少なくとも上記本体巻締め隣在部への当接により、この本体巻締め隣在部の変形を抑制して、上記巻締め部の前記封止能力低下変形を抑制する第３種当接部を有する開封防止電池体とすると良い。
【００２７】
本発明の開封防止電池体では、密閉型電池の内圧が上昇しても、開封防止部材の第３種当接部が本体周側部の本体巻締め隣在部に当接するので、間接的ではあるが適切に巻締め部の封止能力低下変形を抑制することができる。
【００２８】
なお、本体周側部に生じる変形としては、例えば、この本体周側部がビア樽状に自身の外方（巻締め部の径方向）に向けて膨出する変形が挙げられる。本体周側部の膨出により、本体周側部の本体巻締め隣在部には、径方向外側に向けて膨出しつつ、開口から離れるほど外方となるように傾く形態となる変形が生じる。
【００２９】
また、本体周側部の本体巻締め隣在部へ第３種当接部が当接する形態としては、この第３種当接部が本体巻締め隣在部にその全周にわたって当接する形態としても良いが、この本体巻締め隣在部の変形を抑制するものであれば、本体巻締め隣在部の周方向の一部に当接する形態としても良い。
また、第３種当接部は、密閉型電池の内圧が上昇した場合に、本体巻締め隣在部に当接すれば良く、内圧上昇前から本体巻締め隣在部に既に当接していても、内圧上昇して本体巻締め隣在部に或る程度変形が生じた後に、この本体巻締め隣在部に当接しても良い。
【００３０】
さらに、上述の開封防止電池体であって、前記開封防止部材は、前記本体周側部の前記本体巻締め隣在部に沿って、これを環状に取り囲んで、前記第３種当接部をなす隣在部拘束リングである開封防止電池体とすると良い。
【００３１】
本発明の開封防止電池体では、開封防止部材が隣在部拘束リングであるので、形成容易で、本体周側部の本体巻締め隣在部に当接し、この本体巻締め隣在部の変形を確実に抑制することができる。
【００３２】
さらに、他の解決手段は、前述のいずれかの開封防止電池体を搭載した車両である。
【００３３】
本発明の車両では、前述のいずれかの開封防止電池体を搭載するので、密閉型電池の内圧が上昇した場合に、巻締め部における開封を防止した車両とすることができる。
【００３４】
なお、車両としては、その動力源の全部あるいは一部に電池による電気エネルギを使用している車両であれば良く、例えば、電気自動車、ハイブリッド自動車、プラグインハイブリッド自動車、ハイブリッド鉄道車両、フォークリフト、電気車いす、電動アシスト自転車、電動スクータが挙げられる。
【００３５】
さらに、他の解決手段は、前述のいずれかの開封防止電池体を搭載した電池搭載機器である。
【００３６】
本発明の電池搭載機器では、前述のいずれかの開封防止電池体を搭載するので、密閉型電池の内圧が上昇した場合に、巻締め部における開封を防止した電池搭載機器とすることができる。
【００３７】
なお、電池搭載機器としては、電池を搭載しこれをエネルギー源の少なくとも１つとして利用する機器であれば良く、例えば、パーソナルコンピュータ、携帯電話、電池駆動の電動工具、無停電電源装置など、電池で駆動される各種の家電製品、オフィス機器、産業機器が挙げられる。
【発明を実施するための最良の形態】
【００３８】
（実施形態１）
次に、本発明の実施形態１について、図面を参照しつつ説明する。
まず、本実施形態１にかかる電池体１について説明する。図１に電池体１の斜視図を、図２に電池体１の部分断面図を、図３に電池体１の端面図（図２のＡ−Ａ断面）を示す。
この電池体１は、巻締め法により形成された巻締め部８０で、後述する電池ケース２０（ケース本体部材４０）の開口４５を気密に封止してなる密閉型リチウムイオン二次電池（以下、単に電池とも言う）１０と、この電池１０の内圧が上昇した場合に、その巻締め部８０において開封するのを防止する開封防止部材６０とを備える。これら電池１０及び開封防止部材６０は、ナイロンからなる環状の結束ベルトＢＴ１で束ねられている。
【００３９】
このうち電池１０は、発電要素５０、及び、これを収容してなる矩形箱状の電池ケース２０を有する（図１〜３参照）。発電要素５０は、帯状の正極板５１及び負極板５２が、帯状のセパレータ５３を介して扁平形状に捲回されてなる（図３参照）。なお、この発電要素５０の正極板５１及び負極板５２はそれぞれ、クランク状に屈曲した板状の正極集電部材７１又は負極集電部材７２と接合されている（図２参照）。
【００４０】
このうち、正極板５１は、帯状のアルミニウム箔のうち、一方辺に沿う正極リード部５１ｆを残して、その両面に図示しない正極活物質層を担持してなる。また、負極板５２は、帯状の銅箔のうち、一方辺に沿う負極リード部５２ｆを残して、その両面に図示しない負極活物質層を担持してなる。
【００４１】
また、電池ケース２０は、いずれもアルミニウム製の、開口４５を有する有底箱状のケース本体部材４０、及び、その開口４５を閉塞する蓋部材３０からなる（図１〜３参照）。ケース本体部材４０と蓋部材３０とは、環状の巻締め部８０をなして結合して、開口４５を気密に封止してなる。
【００４２】
このうち、有底矩形箱形のケース本体部材４０は、図１〜３中、上方に向く長方形状の開口４５、及び、図１〜３中、下方に位置するケース底部４２と、このケース底部４２から垂直に延び、開口４５を形成し、収容した発電要素５０を環状に囲む本体周側部４１を有する。さらに、このケース本体部材４０のうち、本体周側部４１よりも、図２，３中、上方の端部は、外側（図２，３中、左方向又は右方向）にＵ字状に曲げられて、巻締め部８０の一部をなす本体側結合部４６とされている。
また、本実施形態１では、開口４５の長辺４５Ｌに沿う方向を長辺方向ＤＬとし、短辺４５Ｓに沿う方向を短辺方向ＤＳとする。
なお、ケース本体部材４０と、これに収容された発電要素５０との間には、漏電防止のため、樹脂からなる絶縁フィルム（図示しない）が介在している。
【００４３】
蓋部材３０は、ケース本体部材４０の開口４５内に位置して、巻締め部８０の径方向ＤＲ（図１〜３中、左右方向）に拡がり、開口４５を閉塞する長方形状の開口閉塞部３１を有する。また、この開口閉塞部３１の周縁３１Ｅから、本体周側部４１に沿って延びる蓋周側部３２と、本体側結合部４６を包囲するように、これと共に曲げられて巻締め部８０をなす蓋側結合部３３とを有する（図１〜３参照）。
【００４４】
なお、開口閉塞部３１の中央付近には、安全弁部３９が配置されている（図１，２参照）。この安全弁部３９は、一旦開弁すると安全弁の機能を失うタイプのものである。即ち、凹設されている溝部３９Ｓの肉厚が、他の部位より薄くしてあり、電池ケース２０の内側の気圧（ガス圧）が所定の開弁圧を超えたときに、溝部３９Ｓが開裂して、不可逆的に開弁する。
また、開口閉塞部３１からは、正極集電部材７１の正極端子部７１Ａ、及び、負極集電部材７２の負極端子部７２Ａが、図１，２中、上方にそれぞれ延出している。なお、これら正極集電部材７１及び負極集電部材７２と開口閉塞部３１との間には、それぞれ樹脂製の絶縁部材７５が介在しており、互いに絶縁されている。
【００４５】
次に、電池ケース２０の巻締め部８０について説明する。この巻締め部８０は、二重巻締め法により、前述したケース本体部材４０の本体側結合部４６と、これをＵ字状に包囲する蓋部材３０の蓋側結合部３３とを、共に曲げて形成してなる（図２，３参照）。図１に示すように、この巻締め部８０は、ケース本体部材４０の開口４５の周縁に沿って環状に形成されている。
この巻締め部８０は、本体周側部４１のうち、長辺方向ＤＬに沿って拡がる長辺本体周側部４１Ｌの端部に位置する直線帯状の長辺巻締め部８０Ｌ、及び、短辺方向ＤＳに沿って拡がる短辺本体周側部４１Ｓの端部に位置する直線帯状の短辺巻締め部８０Ｓを含む。このうち、長辺巻締め部８０Ｌは、長辺本体周側部４１Ｌに平行で、巻締め部８０の径方向外側（図３中、左方向又は右方向）を向く長辺外周面８１Ｌを含む（図３参照）。また、短辺巻締め部８０Ｓは、短辺本体周側部４１Ｓに平行で、外側（図２中、左方向又は右方向）を向く短辺外周面８１Ｓを含む（図２参照）。
【００４６】
一方、電池体１の開封防止部材６０は、合成樹脂からなり、電池ケース２０の蓋部材３０側を覆うようにして、この電池ケース２０に被せてなるキャップ型（有底角筒状）の部材である（図５参照）。この開封防止部材６０は、蓋部材３０の開口閉塞部３１に平行に拡がり、これに対向する長方形板状の板状部６１と、この板状部６１の周縁６１Ｅから板状部６１に垂直な方向（図５中、上方）に延びて、巻締め部８０の周囲を包囲する環状の環状部６２とを有する（図２，３参照）。
【００４７】
図１に示すように、板状部６１のうち、安全弁部３９の上方に相当する部位には、板状部６１自身を貫通する第１貫通孔６０Ｘが形成されている。このため、安全弁部３９が開弁して電池１０からガス（図示しない）が放出された際には、この第１貫通孔６０Ｘを通じて、電池体１の外部にガスを放出することができる。
また、板状部６１には、図１に示すように、蓋部材３０（開口閉塞部３１）から突出した正極端子部７１Ａ及び負極端子部７２Ａをそれぞれ挿通する、２つの第２貫通孔６０Ｙ，６０Ｙも設けられている。
【００４８】
一方、環状部６２は、前述の長辺巻締め部８０Ｌの長辺外周面８１Ｌと、わずかな隙間を介して対向する長辺環状部６２Ｌと、短辺巻締め部８０Ｓの短辺外周面８１Ｓと、わずかな隙間を介して対向する短辺環状部６２Ｓとを有する（図２，３，５参照）。
【００４９】
ところで、電池１０の内圧が上昇すると、電池ケース２０に図４に示すような変形が生じる。即ち、例えば、蓋部材３０のうち、ケース本体部材４０の開口４５内の開口閉塞部３１が、外側に凸となる形態に膨出する変形や、ケース本体部材４０のうち、本体周側部４１が、ビア樽のように、外側に凸となる形態に膨出する変形が生じる（図４参照）。
このような変形に伴って、巻締め部８０にも、この巻締め部８０の封止能力を低下させる封止能力低下変形が生じる場合がある。具体的には、図４に示すように、巻締め部８０において、巻締めされた蓋部材３０とケース本体部材４０（具体的には蓋側結合部３３と本体側結合部４６）の間隔が開いたり、巻締め部８０が巻き戻るように、巻締め部８０の長辺外周面８１Ｌがケース本体部材４０から外側（図４中、左右方向）に離れて傾く変形が生じる。このような変形が巻締め部８０に生じると、巻締め部８０の封止能力が低下してしまい、極端な場合には、上述の安全弁部３９の開弁前に、巻締め部８０において開封してしまうことがある。
【００５０】
これに対し、本実施形態１にかかる電池体１では、電池１０の内圧が上昇した場合に、開封防止部材６０の環状部６２（長辺環状部６２Ｌ，短辺環状部６２Ｓ）で、上述の封止能力低下変形を抑制する。
具体的には、電池１０の内圧が上昇して電池ケース２０の変形に伴い、巻締め部８０が巻き戻るように、長辺外周面８１Ｌ及び短辺外周面８１Ｓが傾く変形が生じると、図２，３から判るように、これらが環状部６２の長辺環状部６２Ｌ及び短辺環状部６２Ｓに当接するので、この巻締め部８０のそれ以上の変形を防止できる。
このように、電池１０の内圧が上昇しても、開封防止部材６０の環状部６２（長辺環状部６２Ｌ，短辺環状部６２Ｓ）で、巻締め部８０に生じる封止能力低下変形を抑制できるので、巻締め部８０での封止能力の低下を抑制し、さらには、巻締め部８０における開封を防止した電池体１とすることができる。
【００５１】
特に、本実施形態１にかかる電池体１では、電池１０の内圧が上昇すると、環状部６２（長辺環状部６２Ｌ，短辺環状部６２Ｓ）が巻締め部８０の長辺外周面８１Ｌ及び短辺外周面８１Ｓに当接して、直接的に巻締め部８０の封止能力低下変形を抑制するので、確実に巻締め部８０の封止能力の低下を抑制できる。
【００５２】
ところで、本実施形態１の電池１０では、ケース本体部材４０の開口４５が長方形状であるので、巻締め部８０のうち、開口４５の長辺４５Ｌに形成された長辺巻締め部８０Ｌで、変形が生じやすく開封もしやすい。
これに対し、本実施形態１にかかる電池体１では、開封防止部材６０に長辺環状部６２Ｌを有し、この長辺環状部６２Ｌが長辺外周面８１Ｌに当接する。これにより、長辺巻締め部８０Ｌにおける封止能力低下変形を抑制して、この長辺巻締め部８０Ｌ、ひいては、巻締め部８０全体における封止能力の低下を適切に防止できる。
【００５３】
さらに、本実施形態１にかかる電池体１は、開封防止部材６０を備える。従って、この開封防止部材６０を電池１０に被せることで、巻締め部８０における封止能力の低下を抑制した電池体１を容易に構成できる。
【００５４】
なお、本実施形態１では、電池１０の内圧が上昇しない時点では、その電池１０のうち巻締め部８０の長辺外周面８１Ｌ及び短辺外周面８１Ｓと開封防止部材６０の環状部６２（長辺環状部６２Ｌ，短辺環状部６２Ｓ）との間に隙間が生じる形態とした。しかし、電池１０の内圧の低いときにも、これらが互いに密着している形態としても良い。
【００５５】
（変形形態１）
次に、本発明の変形形態１にかかる電池体１０１について、図４，６〜８を参照しつつ説明する。
本変形形態１は、前述の電池を複数個備える点で、前述の実施形態１と異なり、それ以外は同様である。
そこで、実施形態１と異なる点を中心に説明し、同様の部分の説明は省略又は簡略化する。なお、同様の部分については同様の作用効果を生じる。また、同内容のものには同番号を付して説明する。
【００５６】
本変形形態１にかかる電池体１０１の斜視図を図６に、電池体１０１の端面図（図６のＢ−Ｂ断面）を図７にそれぞれ示す。
この電池体１０１は、巻締め部８０で気密に封止してなる複数（本変形形態１では８つ）の電池１０，１０と、これらの内圧が上昇した場合に、巻締め部８０において開封するのを防止する１つの開封防止部材１６０とを備える。さらに、複数の電池１０，１０と開封防止部材１６０とを束ねる、ナイロンからなる結束ベルトＢＴ２を備える。
このうち複数の電池１０，１０は、互いの長辺本体周側部４１Ｌ，４１Ｌ同士を対向させて、短辺方向ＤＳに１列に列置されている（図６，７参照）。また、これら複数の電池１０，１０は、互いに直列に接続されている。具体的には、一方の電池１０の正極端子部７１Ａと、他方の電池１０の負極端子部７２Ａとを、コ字状に屈曲したバスバＢＢでボルト締結している（図６参照）。
【００５７】
また、開封防止部材１６０は、合成樹脂からなり、各電池１０のうち蓋部材３０側を覆うようにして、これらに被せてなるキャップ型の部材である。この開封防止部材１６０は、実施形態１と同様の、長方形板状の板状部６１を複数有する（図８参照）。さらに、各々の板状部６１，６１の周縁６１Ｅから板状部６１に垂直な方向（図８中、下方）に延びて、各電池１０の巻締め部８０の周囲を包囲する、環状が複数連なった形態の連続環状部１６２を有する。
【００５８】
この連続環状部１６２は、各々の電池１０における長辺巻締め部８０Ｌの長辺外周面８１Ｌに対向する長辺環状部１６２Ｌと、短辺巻締め部８０Ｓの短辺外周面８１Ｓに対向する短辺環状部１６２Ｓとを有する（図７，８参照）。
このため、実施形態１と同様、電池１０の内圧が上昇しても、開封防止部材１６０の環状部１６２（長辺環状部１６２Ｌ，短辺環状部１６２Ｓ）で、巻締め部８０に生じる封止能力低下変形（図４参照）を抑制できるので、巻締め部８０での封止能力の低下を抑制し、さらには、巻締め部８０における開封を防止した電池体１０１とすることができる。
【００５９】
（実施形態２）
次に、本発明の実施形態２にかかる電池体２０１について、図１，４，９〜１１を参照しつつ説明する。
本実施形態２では、開封防止部材が、第１種当接部（実施形態１の環状部６２）の他に、電池の内圧が上昇した場合に蓋部材の外周部の変形を抑制可能な第２種当接部を有する点で、前述の実施形態１と異なり、それ以外は同様である。
そこで、実施形態１と異なる点を中心に説明し、同様の部分の説明は省略又は簡略化する。なお、同様の部分については同様の作用効果を生じる。また、同内容のものには同番号を付して説明する。
【００６０】
本実施形態２の電池体２０１は、実施形態１と同様の電池１０と、この電池１０の内圧が上昇した場合に、その巻締め部８０において開封するのを防止する開封防止部材２６０と、実施形態１と同様の結束ベルトＢＴ１とを備える。
【００６１】
このうち電池体２０１の開封防止部材２６０は、実施形態１と同様、合成樹脂からなり、電池ケース２０の蓋部材３０側を覆うようにして、この電池ケース２０に被せてなるキャップ型（有底角筒状）の部材である。この開封防止部材２６０は、実施形態１と同様、蓋部材３０の開口閉塞部３１に平行に拡がる板状部２６１と、この板状部２６１の周縁２６１Ｅから板状部２６１に垂直な方向（図１中、下方）に延びて、巻締め部８０の周囲を包囲する環状の環状部６２とを有する。但し、この開封防止部材２６０は、環状部６２の内側に、板状部２６１から蓋部材３０側に垂直に突出する内側環状部２６３を有する点で、実施形態１とは異なる（図９，１０参照）。
【００６２】
内側環状部２６３は、図１１に示すように、環状部６２の内側に位置し、板状部２６１から垂直に突出し、環状部６２に平行に配置されている。なお、この内側環状部２６３は、図９，１０に示すように、蓋部材３０の外周部３１Ｆと、わずかな隙間を介して対向している。
【００６３】
ところで、電池１０の内圧が上昇すると、蓋部材３０の開口閉塞部３１に変形が生じる場合がある。具体的に例えば、図４に示すような、この開口閉塞部３１が電池ケース２０の外方（図４中、上方）、即ち、巻締め部８０の径方向ＤＲに直交し、ケース本体部材４０の内部から外部に向かう開口外方向ＤＵに向けてドーム状に膨出する変形が挙げられる。従って、蓋部材３０の開口閉塞部３１のうち外周部３１Ｆには、電池ケース２０の外部に向けて膨出し、かつ、開口４５の内側（開口閉塞部３１の中心）に近いほど外方に位置するように傾いた形態の変形が生じる。
このように蓋部材３０の外周部３１Ｆが変形すると、巻締め部８０において、蓋部材３０とケース本体部材４０との間が開くような力を受けることとなり（図４参照）、巻締め部８０の封止能力が低下してしまう。
【００６４】
これに対し、本実施形態２にかかる電池体２０１では、電池１０の内圧が上昇しても、開封防止部材２６０の内側環状部２６３が、蓋部材３０のうち少なくとも外周部３１Ｆに当接するので、間接的ではあるが適切に巻締め部８０の封止能力低下変形を抑制することができる。つまり、蓋部材３０において開口外方向ＤＵに膨出する変形が生じると、図９，１０から判るように、外周部３１Ｆが開封防止部材２６０の内側環状部２６３に当接するので、この外周部３１Ｆのそれ以上の変形を防止できる。
【００６５】
また、開封防止部材２６０は、開口閉塞部３１の外周面３１Ｆに対向する内側環状部２６３を有し、しかも開口外方向ＤＵへの移動が拘束ベルトＢＴによって抑制されてなる。このため、電池１０の内圧が上昇して、外周面３１Ｆが開口外方向ＤＵに向けて膨出しようとしても、開封防止部材２６０の内側環状部２６３がこれに当接して、その変形（膨出）を抑制し、ひいては、巻締め部８０の封止能力低下変形を抑制することができる。
【００６６】
（実施形態３）
次に、本発明の実施形態３にかかる電池体３０１について、図４，１２〜１５を参照しつつ説明する。
本実施形態３では、実施形態１の開封防止部材６０に代えて、電池の内圧が上昇した場合に、ケース本体部材の本体巻締め隣在部の変形を抑制する第３種当接部を有する開封防止部材３６０を備える点で、前述の実施形態１と異なるが、用いる電池１０は同様である。
【００６７】
本実施形態３の電池体３０１は、実施形態１と同様の電池１０と、この電池１０の内圧が上昇した場合に、その巻締め部８０の開封を防止する開封防止部材をなす隣在部拘束リング３６０とを備える。
このうち電池体３０１の隣在部拘束リング３６０は、合成樹脂からなり、ケース本体部材４０の本体周側部４１を囲むリング状の部材である（図１２，１５参照）。この隣在部拘束リング３６０は、ケース本体部材４０側に面する内側部３６４が、本体周側部４１のうち、巻締め部８０より開口４５からケース本体部材４０の内部に向かう方向、即ち、前述の開口外方向ＤＵとは逆方向の開口内方向ＤＤで、この巻締め部８０の隣に位置する本体巻締め隣在部４１Ｇと当接している（図１３，１４参照）。
【００６８】
ところで、電池１０の内圧が上昇すると、ケース本体部材４０の本体周側部４１に変形が生じる場合がある。具体的には、図４に示すように、本体周側部４１が、ビア樽のように巻締め部８０の径方向ＤＲ（図４中、左右方向）の外側に凸状に膨出する変形する。この本体周側部４１の膨出により、本体周側部４１の本体巻締め隣在部４１Ｇには、巻締め部８０の径方向ＤＲ外側に向けて膨出しつつ、開口４５から離れるほど外方となるように傾く形態となる変形が生じる。
このように本体周側部４１の本体巻締め隣在部４１Ｇが変形すると、巻締め部８０において、蓋部材３０とケース本体部材４０との間が開くような力を受けることとなり（図４参照）、巻締め部８０の封止能力が低下してしまう。
【００６９】
これに対し、本実施形態３にかかる電池体３０１では、電池１０の内圧が上昇しても、隣在部拘束リング３６０の内側部３６４が本体巻締め隣在部４１Ｇに当接するので、間接的ではあるが適切に巻締め部８０の封止能力低下変形を抑制することができる。
【００７０】
また、電池体３０１では、隣在部拘束リング３６０が、本体巻締め隣在部４１Ｇに沿って、これを環状に取り囲んで拘束するリング状であるので、形成容易で、かつ、容易に本体周側部４１の本体巻締め隣在部４１Ｇに当接させ、この本体巻締め隣在部４１Ｇの変形を確実に抑制することができる。
【００７１】
（実施形態４）
次に、本発明の実施形態４にかかる電池体４０１について、図１６，１７を参照しつつ説明する。
本実施形態４の電池の電池ケースが円筒形状を有している点で、前述の実施形態１（角形（矩形箱形）の電池）と異なる。
【００７２】
本実施形態４にかかる電池体４０１について、図１６にその斜視図を、図１７にその縦断面図をそれぞれ示す。この電池体４０１は、巻締め法により形成された２つの巻締め部（第１巻締め部４８０及び第２巻締め部４８５）により、気密に封止してなる電池４１０と、この電池４１０の内圧が上昇した場合に、その巻締め部４８０，４８５において開封するのを防止する２つの開封防止部材（第１開封防止部材４６０及び第２開封防止部材４６５）とを備える。この電池体４０１は、円筒形状の円筒形状の電池ケース４２０及び発電要素４５０を備える密閉型リチウムイオン二次電池である。
【００７３】
このうち電池４１０は、発電要素４５０と、これを収容してなる円筒形状の電池ケース４２０とを有する（図１６，１７参照）。このうち発電要素４５０は、帯状の正極板４５１、帯状の負極板４５２、帯状のセパレータ４５３、絶縁性樹脂からなり円柱形状の芯部材４５４及び図示しない電解液を含む。
この発電要素４５０は、正極板４５１及び負極板４５２を、セパレータ４５３を介して捲回してなる捲回型で、その軸線ＡＸには、自身の下側端（図１６中、下方）に正極集電部材４７１を、上側端（図１７中、上方）に負極集電部材４７２をそれぞれ接続した芯部材４５４が配置されている。
なお、正極集電部材４７１には、正極板４５１の正極リード部４５１ｆが、負極集電部材４７２には、負極板４５２の負極リード部４５２ｆが、それぞれ溶接されている。また、正極集電部材４７１のうち、図１７中、上方の正極先端部４７１Ｄは、電池ケース４２０の内側から第２蓋部材４９０（後述する凸部４９０Ｖの内側）と接合している。また、負極集電部材４７２のうち、図１７中、下方の負極先端部２７２Ｄは、第１蓋部材４３０を貫通して、電池ケース４２０の内側から外部に突出する負極端子部材４７４と接合している。
【００７４】
また、電池ケース４２０は、共にアルミニウム製のケース本体部材４４０と、第１蓋部材４３０と、第２蓋部材４９０とを、二重巻締め法によってそれぞれ結合させて封口してなる（図１６，１７参照）。この電池ケース４２０では、軸線ＡＸに沿って、ケース本体部材４４０と第１蓋部材４３０とが、環状の第１巻締め部４８０をなして結合して、第１開口４４５Ｕを気密に封止してなる。また、ケース本体部材４４０と第２蓋部材４９０とが、環状の第２巻締め部４８５をなして結合して、第２開口４４５Ｄを気密に封止してなる。
【００７５】
このうち、円筒形状のケース本体部材４４０は、軸線ＡＸを含んで開口する第１開口４４５Ｕ及び第２開口４４５Ｄと、これら開口２４５Ｕ，２４５Ｄを形成し、収容した発電要素４５０を環状に囲む本体周側部４４１とを有する。さらに、このケース本体部材４４０のうち、本体周側部４４１よりも、図１７中、上方の端部は、外側（図１７中、左方向又は右方向）にＵ字状に曲げられて、第１巻締め部４８０の一部をなす第１本体側結合部４４６Ｕとされている。本体周側部４４１よりも、図１７中、下方の端部は、外側にＵ字状に曲げられて、第２巻締め部４８５の一部をなす第２本体側結合部４４６Ｄとされている。
【００７６】
一方、第１蓋部材４３０は、ケース本体部材４４０の第１開口４４５Ｕ内に位置して、第１巻締め部４８０の径方向ＤＲ（図１６，１７中、左右方向）に拡がり、第１開口４４５Ｕを閉塞する円平面状の第１開口閉塞部４３１を有する。また、この第１開口閉塞部４３１の周縁４３１Ｅから、本体周側部４４１に沿って延びる第１蓋周側部４３２と、第１本体側結合部４４６Ｕを包囲するように、これと共に曲げられて第１巻締め部４８０をなす第１蓋側結合部４３３とを有する（図１６，１７参照）。なお、この第１蓋本体部４３１の中央には、絶縁部材４７５を介して負極端子部材４７４が挿通されている。
【００７７】
また、第１開口閉塞部４３１に配置された安全弁部４３９は、実施形態１と同様、一旦開弁すると安全弁の機能を失うタイプのものである。また、開口閉塞部３１からは、負極端子部材４７４が、図１６，１７中、上方に延出している。なお、負極端子部材４７４と開口閉塞部４３１との間には、樹脂製の絶縁部材４７５が介在しており、互いに絶縁されている。
【００７８】
他方、第２蓋部材４９０は、ケース本体部材４４０の第２開口４４５Ｄ内に位置して、第２巻締め部４８５の径方向ＤＲ（図１６，１７中、左右方向）に拡がり、第２開口４４５Ｄを閉塞する円盤形状の第２開口閉塞部４９１を有する。また、この第２開口閉塞部４９１の周縁４９１Ｅから、本体周側部４４１に沿って延びる第２蓋周側部４９２と、第２本体側結合部４４６Ｄを包囲するように、これと共に曲げられて第２巻締め部４８５をなす第２蓋側結合部４９３とを有する（図１６，１７参照）。
なお、第２蓋部材４９０は、この第２蓋本体部４３１の中央から、図１７中、下方に凸状円筒形状に隆起してなる凸部４９０Ｖを有する（図１７参照）。この第２蓋部材４９０では、上述した正極集電端子４７２が電池ケース４２０内側から接合されているので（図１７参照）、この第２蓋部材４９０及びケース本体部材４４０は、電池４１０の正極電位とされる。このため、凸部４９０Ｖは、図１６に示すように、第２開封防止部材４６５から露出させて、この電池４１０の正極側の外部端子として用いることができる。
【００７９】
また、第１開封防止部材４６０は、合成樹脂からなり、電池ケース４２０の第１蓋部材４３０側を覆うようにして、この電池ケース４２０に被せてなるキャップ型（有底円筒状）の部材である。この第１開封防止部材４６０は、第１蓋部材４３０の第１開口閉塞部４３１に平行に拡がり、これに対向する円板状の第１板状部４６１と、この第１板状部４６１の周縁４６１Ｅから第１板状部４６１に垂直な方向（図１７中、下方）に延びて、第１巻締め部４８０の周囲を包囲する環状の第１環状部４６２とを有する。
【００８０】
このうち第１板状部４６１は、図１６に示すように、そのうちの安全弁部４３９の上方に相当する部位には、第１板状部４６１自身を貫通する第１貫通孔４６０Ｘが形成されている。このため、安全弁部４３９が開弁して電池４１０からガス（図示しない）が放出された際には、この第１貫通孔４６０Ｘを通じて、電池体４０１の外部にガスを放出することができる。
また、第１板状部４６１には、図１７に示すように、第１蓋部材４３０（第１開口閉塞部４３１）から突出した負極端子部材４７４を挿通する、第２貫通孔４６０Ｙも設けられている。
また、第１環状部４６２は、前述の第１巻締め部４８０とわずかな隙間を介して対向する（図１７参照）。これにより、本実施形態４にかかる電池体４０１では、電池４１０の内圧が上昇しても、第１開封防止部材４６０の第１環状部４６２で、第１巻締め部４８０に生じる封止能力低下変形を抑制できるので、第１巻締め部４８０での封止能力の低下を抑制できる。
【００８１】
また、第２開封防止部材４６５は、第２蓋部材４９０側を覆うようにして、この電池ケース４２０に被せてなるキャップ型（有底円筒状）の部材である。この第２開封防止部材４６５は、第１開封防止部材４６０と同様、円板状の第２板状部４６６と、第２巻締め部４８５の周囲を包囲する環状の第１環状部４６７とを有する。
【００８２】
このうち第２板状部４６６には、図１７に示すように、第２蓋部材４９０（第１開口閉塞部４３１）の凸部４９０Ｖを露出可能な第３貫通孔４６０Ｚが設けられている。
また、第１環状部４６２は、前述の第１巻締め部４８０とわずかな隙間を介して対向する（図１７参照）。これにより、本実施形態４にかかる電池体４０１では、電池４１０の内圧が上昇しても、第２開封防止部材４６５の第２環状部４６７で、第２巻締め部４８５に生じる封止能力低下変形を抑制できるので、第２巻締め部４８５での封止能力の低下を抑制し、さらには、２つの巻締め部４８０，４８５における開封をいずれも防止した電池体４０１とすることができる。
【００８３】
（実施形態５）
本実施形態５にかかる車両７００は、前述した電池体１、２０１、３０１或いは４０１を複数、又は、電池体１０１を搭載したものである。具体的には、図１８に示すように、車両７００は、エンジン７４０、フロントモータ７２０およびリアモータ７３０を併用して駆動するハイブリッド自動車である。この車両７００は、車体７９０、エンジン７４０、これに取り付けられたフロントモータ７２０、リアモータ７３０、ケーブル７５０、インバータ７６０、及び、複数の電池体１、２０１、３０１或いは４０１、又は、電池体１０１を自身の内部に有する組電池７１０を有している。
【００８４】
本実施形態５の車両７００では、前述のいずれかの電池体１、１０１、２０１、３０１或いは４０１を搭載するので、電池１０，４１０の内圧が上昇した場合に、巻締め部８０，４８０，４８５における開封を防止した車両７００とすることができる。
【００８５】
（実施形態６）
また、本実施形態６のハンマードリル８００は、前述した電池体１、１０１、２０１、３０１或いは４０１を１又は２以上含むバッテリパック８１０を搭載したものであり、図１９に示すように、バッテリパック８１０、本体８２０を有する電池搭載機器である。なお、バッテリパック８１０はハンマードリル８００の本体８２０のうちパック収容部８２１に脱着可能に収容されている。
【００８６】
本実施形態６にかかるハンマードリル８００では、上述のいずれかの電池体１、１０１、２０１、３０１或いは４０１を搭載するので、電池１０，４１０の内圧が上昇した場合に、巻締め部８０，４８０，４８５における開封を防止した電池搭載機器とすることができる。
【００８７】
以上において、本発明を実施形態１〜実施形態６及び変形形態１に即して説明したが、本発明は上記実施形態，変形形態に限定されるものではなく、その要旨を逸脱しない範囲で、適宜変更して適用できることは言うまでもない。
例えば、実施形態２，３では、１つの電池及び１つの開封防止部材を備えた電池体としたが、例えば、実施形態１に対比して記載した変形形態１の電池体と同様、複数の電池及び１つの開封防止部材を備えた電池体としても良い。また、実施形態等では、１つの電池体に１つの開封防止部材を備える形態としたが、例えば、１つの電池体に、実施形態３の開封防止部材（隣在部拘束リング）３６０と、実施形態１の開封防止部材６０、又は、実施形態２の開封防止部材２６０とを備える形態としても良い。この場合、１つの開封防止部材を備える電池体よりも、確実に巻締め部の変形を抑制することができる。
【００８８】
また、変形形態１の開封防止部材１６０において、複数の第１貫通孔６０Ｘ，６０Ｘを図６中、上方に向けて開孔した形態としたが、例えば、図２０中、右側に開口した形態の排気ダクト部９６０Ｑを、自身の内部に配置した開封防止部材９６０としても良い。この排気ダクト部９６０Ｑは、開封防止部材９６０の内部で、全ての第１貫通孔と連通してなる。このような開封防止部材９６０を用いた場合には、電池１０の安全弁部が開弁した際に発生するガスを所定の位置（この形態では、図２０中、右側）から確実に排出することができる。
【図面の簡単な説明】
【００８９】
【図１】実施形態１，実施形態２にかかる電池体の斜視図である。
【図２】実施形態１にかかる電池体の部分破断断面図である。
【図３】実施形態１にかかる電池体の断面図（図２のＡ−Ａ断面部）である。
【図４】実施形態１，２，３，変形形態１の電池の説明図である。
【図５】実施形態１の開封防止部材の斜視図である。
【図６】変形形態１にかかる電池体の斜視図である。
【図７】変形形態１にかかる電池体の断面図（図６のＢ−Ｂ断面部）である。
【図８】変形形態１の開封防止部材の斜視図である。
【図９】実施形態２にかかる電池体の部分破断断面図である。
【図１０】実施形態２にかかる電池体の断面図（図９のＣ−Ｃ断面部）である。
【図１１】実施形態２の開封防止部材の斜視図である。
【図１２】実施形態３にかかる電池体の斜視図である。
【図１３】実施形態３にかかる電池体の部分破断断面図である。
【図１４】実施形態３にかかる電池体の断面図（図１３のＤ−Ｄ断面部）である。
【図１５】実施形態３の開封防止部材の斜視図である。
【図１６】実施形態４にかかる電池体の斜視図である。
【図１７】実施形態４にかかる電池体の部分破断断面図である。
【図１８】実施形態５にかかる車両の説明図である。
【図１９】実施形態６にかかるハンマードリルの説明図である。
【図２０】実施例の開封防止部材の斜視図である。
【符号の説明】
【００９０】
１，１０１，２０１，３０１，４０１  電池体（開封防止電池体）
１０，４１０  電池（密閉型電池）
２０，４２０  電池ケース
３０  蓋部材
３１  開口閉塞部
３１Ｆ  外周部
４０，４４０  ケース本体部材
４１  本体周側部
４１Ｇ  本体巻締め隣在部
４５  開口
４５Ｌ  長辺
５０，４５０  発電要素
６０，１６０  開封防止部材（第１キャップ型開封防止部材）
６２，１６２  環状部（変形抑制部，第１種当接部）
６２Ｌ，１６２Ｌ  長辺環状部（変形抑制部，第１種当接部，第１種長辺当接部）
６２Ｓ，１６２Ｓ  短辺環状部（変形抑制部，第１種当接部）
８０  巻締め部
８０Ｌ  長辺巻締め部
８１Ｌ  長辺外周面（（巻締め部の）外周面）
８１Ｓ  短辺外周面（（巻締め部の）外周面）
２６０  開封防止部材（第２キャップ型開封防止部材）
２６３  内側環状部（変形抑制部，第２種当接部）
３６０  隣在部拘束リング（開封防止部材）
３６４  内側部（変形抑制部，第３種当接部）
４３０  第１蓋部材（蓋部材）
４３１  第１開口閉塞部（開口閉塞部）
４４５Ｄ  第２開口（開口）
４４５Ｕ  第１開口（開口）
４６０  第１開封防止部材（第１キャップ型開封防止部材）
４６２  第１環状部（変形抑制部，第１種当接部）
４６５  第２開封防止部材（第１キャップ型開封防止部材）
４６７  第２環状部（変形抑制部，第１種当接部）
４８０  第１巻締め部（巻締め部）
４８１  第１外周面（（巻締め部の）外周面）
４８５  第２巻締め部（巻締め部）
４８６  第２外周面（（巻締め部の）外周面）
４９０  第２蓋部材（蓋部材）
４９１  第２開口閉塞部（開口閉塞部）
７００  車両
７１０  組電池（開封防止電池体）
８００  ハンマードリル（電池搭載機器）
８１０  バッテリパック（開封防止電池体）
ＤＤ  開口内方向
ＤＲ  （巻締め部の）径方向
ＤＵ  開口外方向
【図１】
2010153338.tif 000003
【図２】
2010153338.tif 000004
【図３】
2010153338.tif 000005
【図４】
2010153338.tif 000006
【図５】
2010153338.tif 000007
【図６】
2010153338.tif 000008
【図７】
2010153338.tif 000009
【図８】
2010153338.tif 000010
【図９】
2010153338.tif 000011
【図１０】
2010153338.tif 000012
【図１１】
2010153338.tif 000013
【図１２】
2010153338.tif 000014
【図１３】
2010153338.tif 000015
【図１４】
2010153338.tif 000016
【図１５】
2010153338.tif 000017
【図１６】
2010153338.tif 000018
【図１７】
2010153338.tif 000019
【図１８】
2010153338.tif 000020
【図１９】
2010153338.tif 000021
【図２０】
2010153338.tif 000022